(57)【要約】【課題】洗濯槽の内側に上下方向に延びるように設けられた循環水路の上部に洗剤投入口を設け、その下方にリントフィルタ部を設けた構成のものにおいて、洗剤投入口からの水の溢れ出しを防止でき、商品性の向上を図る。【解決手段】洗濯槽１０の内側に上下方向に延びる循環水路２５を形成するカバー部材２６を設け、カバー部材２６の上部に洗剤投入口３２を設け、その下にリントフィルタ部３８を設ける。循環水路２５において、リントフィルタ部３８の左右両側に洗剤案内路５０を設け、洗剤案内路５０に臨む洗濯槽１０の胴部１１に複数の循環水排出孔３０を設ける。パルセータ１５の回転に伴いポンプ羽根１８のポンプ作用により送り出された水が洗剤案内路５０内を上昇しても、その水の一部は循環水排出孔３０から洗濯槽１０の外部へ排出されるので、水が洗剤投入口３２から溢れ出すことを防止できる。【選択図】図１
2009136430.tif 000002
【特許請求の範囲】
【請求項１】
筒状をなす胴部の下部に容器状をなす槽底部を有する縦軸型の洗濯槽と、
この洗濯槽内の底部に回転可能に配設され、裏側にポンプ羽根を有するパルセータと、
前記洗濯槽の内側に上下方向に延びるように設けられ、前記パルセータの回転に伴う前記ポンプ羽根のポンプ作用により送り出された水を上方に向けて案内する循環水路と、
この循環水路の上部に当該循環水路に連通するように設けられた洗剤投入口と、
前記循環水路において前記洗剤投入口の下方に位置させて設けられ、前記循環水路を通る水に含まれたリントを捕獲するリントフィルタ部と、
前記循環水路において前記リントフィルタ部の左右両側に設けられ、前記洗剤投入口から投入された洗剤を前記パルセータの近傍まで案内する洗剤案内路と、
この洗剤案内路に臨む前記胴部に設けられ、前記洗剤案内路内の水を前記洗濯槽の外側へ排出することが可能な循環水排出孔とを具備したことを特徴とする洗濯機。
【請求項２】
前記洗剤案内路において前記循環水排出孔の上方に位置させて導水リブを設けたことを特徴とする請求項１記載の洗濯機。
【請求項３】
前記循環水路において前記リントフィルタ部の上方に位置させて、前記洗剤投入口から投入された洗剤を左右の前記洗剤案内路に振り分ける、山形状をなす山形リブを設けたことを特徴とする請求項１または２記載の洗濯機。
【請求項４】
前記導水リブは、外側に向かって下降傾斜していることを特徴とする請求項２記載の洗濯機。
【請求項５】
前記山形リブの前記胴部側の先端部は、前記胴部の内面に当接していることを特徴とする請求項３記載の洗濯機。
【発明の詳細な説明】
【技術分野】
【０００１】
本発明は、洗濯槽の内側に上下方向に延びるように設けられた循環水路の上部に洗剤投入口を設け、その洗剤投入口の下方にリントフィルタ部を設けた構成の洗濯機に関する。
【背景技術】
【０００２】
従来、縦軸型の洗濯機においては、脱水槽を兼ねる洗濯槽内の底部に回転可能に設けられたパルセータの裏側にポンプ羽根を設け、前記洗濯槽の内側に、上下方向に延びる循環水路を設け、この循環水路の上部に洗剤投入口を設けた構成のものがある（例えば、特許文献１参照）。このものにおいては、前記洗剤投入口から洗剤（粉末洗剤）を投入すると、その洗剤を、洗濯物に直接接することなく、循環水路を通って下方のパルセータ近傍に導くことができる。そして、洗濯槽内に給水した状態で、パルセータを回転させることで、パルセータ裏側のポンプ羽根により洗剤を良好に溶かすことができる。また、循環水路の上下方向の中間部には吐出口が形成されていて、ポンプ羽根のポンプ作用により送り出された水（洗濯液）が、循環水路を通って上昇し、前記吐出口から洗濯槽内に吐出されることで、洗濯液を洗濯物に掛けることができる。
【０００３】
また、上記したような循環水路の上部の吐出口にリントフィルタを設け、そのリントフィルタにより、循環水路を通る水（洗濯液）に含まれたリントを捕獲するようにしたものもある（例えば、特許文献２参照）。
【特許文献１】特開２００４−２０９１０９号公報（図３参照）
【特許文献２】特開２００３−３２６０９１号公報（図７参照）
【発明の開示】
【発明が解決しようとする課題】
【０００４】
ここで、前記洗剤投入口の機能と前記リントフィルタの機能を、一つの循環水路で構成しようとすると、循環水路の上部に洗剤投入口を設け、その洗剤投入口の下方にリントフィルタ部を設けることが考えられる。
しかしながら、このような構成とした場合、洗剤投入口は循環水路に連通している必要があるから、パルセータの回転に伴うポンプ羽根のポンプ作用により循環水路内に送り出された水が、循環水路を通って洗剤投入口付近まで上昇し、その洗剤投入口部分から溢れ出し、見た目を悪くし、商品性を損なうというおそれがある。
【０００５】
本発明は上記した事情に鑑みてなされたものであり、その目的は、洗濯槽の内側に上下方向に延びるように設けられた循環水路の上部に洗剤投入口を設け、その洗剤投入口の下方にリントフィルタ部を設けた構成のものにおいて、前記洗剤投入口からの水の溢れ出しを防止でき、商品性の向上を図ることができる洗濯機を提供することにある。
【課題を解決するための手段】
【０００６】
上記した目的を達成するために、本発明の洗濯機は、筒状をなす胴部の下部に容器状をなす槽底部を有する縦軸型の洗濯槽と、この洗濯槽内の底部に回転可能に配設され、裏側にポンプ羽根を有するパルセータと、前記洗濯槽の内側に上下方向に延びるように設けられ、前記パルセータの回転に伴う前記ポンプ羽根のポンプ作用により送り出された水を上方に向けて案内する循環水路と、この循環水路の上部に当該循環水路に連通するように設けられた洗剤投入口と、前記循環水路において前記洗剤投入口の下方に位置させて設けられ、前記循環水路を通る水に含まれたリントを捕獲するリントフィルタ部と、前記循環水路において前記リントフィルタ部の左右両側に設けられ、前記洗剤投入口から投入された洗剤を前記パルセータの近傍まで案内する洗剤案内路と、この洗剤案内路に臨む前記胴部に設けられ、前記洗剤案内路内の水を前記洗濯槽の外側へ排出することが可能な循環水排出孔とを具備したことを特徴とする。
【発明の効果】
【０００７】
本発明においては、洗濯槽の内側に上下方向に延びるように設けられた循環水路の上部に洗剤投入口を設け、その洗剤投入口の下方にリントフィルタ部を設けていて、洗剤投入口から投入した洗剤は、循環水路のうち、リントフィルタ部の左右両側に設けられた洗剤案内路を通って下方のパルセータ近傍まで案内される。パルセータが回転されると、ポンプ羽根のポンプ作用により洗濯槽内の水が循環水路に送り出され、循環水路のうちリントフィルタ部に送られた水に含まれたリントが当該リントフィルタ部にて捕獲される。
【０００８】
循環水路のうちリントフィルタ部の両側に位置する洗剤案内路に送り出された水の一部は、胴部に形成された循環水排出孔から洗濯槽の外部に排出されるようになるため、洗剤案内路を通る水の量が減るとともに勢いが弱められる。このため、洗剤案内路に送り出された水が、上方の洗剤投入口まで達することを防止できるようになる。これにより、洗剤案内路に送り出された水が洗剤投入口から溢れ出すことを防止でき、商品性の向上を図ることができる。
【発明を実施するための最良の形態】
【０００９】
以下、本発明の一実施形態について図面を参照して説明する。
まず、図６には、縦軸型の全自動洗濯機の縦断面図が示されている。この図６において、外箱１と、この外箱１の底部に設けられた台板２と、外箱１の上部に設けられたトップカバー３とにより、洗濯機の外殻が構成されている。トップカバー３には、図示しない洗濯物出入口を開閉する洗濯蓋４が設けられている。洗濯蓋４は二つ折れ式となっている。
【００１０】
外箱１の内部には、上面が開口した容器状をなす水槽５が配設されている。この水槽５は、つり棒６、スプリング７などで構成する弾性吊持機構８により、外箱１に弾性的に支持されている。水槽５内には、縦軸型の洗濯槽１０が回転可能に配設されている。この洗濯槽１０は、円筒状に形成されたステンレス製の胴部１１と、この胴部１１の下部に設けられた容器状をなす合成樹脂製の槽底部１２と、胴部１１の上端部に設けられたバランスリング１３とを組み合わせて構成されている。胴部１１と槽底部１２との間、および胴部１１とバランスリング１３との間は、かしめやねじで連結されている。胴部１１には脱水用の孔１４が多数個形成されていて、洗濯槽１０は脱水槽を兼ねている。
【００１１】
槽底部１２の内部には、洗濯物撹拌用のパルセータ１５を収納する凹部１６が形成されている。この凹部１６は、ポンプ室にもなっている。凹部１６の外側には、ポンプ室の出口となる流出口１７が形成されている。なお、流出口１７は、複数箇所に形成されているが、図１、図２、図６には１箇所のみ示す。パルセータ１５の裏側には、複数枚のポンプ羽根１８が設けられている。
【００１２】
水槽５の底部外面には、回転駆動源であるモータ１９が設けられているとともに、機構部２０が設けられている。機構部２０には図示しないクラッチが設けられていて、洗い時やためすすぎ時には、モータ１９の回転がパルセータ１５のみ伝達され、脱水時には、モータ１９の回転が洗濯槽１０とパルセータ１５の双方に伝達されるようになっている。洗い時およびためすすぎ時には、パルセータ１５が正逆回転され、脱水時には、洗濯槽１０およびパルセータ１５が一体的に一方向へ高速回転されるようになっている。
【００１３】
水槽５の底部には排水口２１が形成され、この排水口２１に、排水弁２２を介して排水ホース２３が接続されている。なお、前記トップカバー３の後部には、洗濯槽１０内に給水するための給水弁（図示せず）が設けられ、前部には、これも図示はしないが、スイッチや表示器を備えた操作パネルが設けられている。
【００１４】
さて、洗濯槽１０の内側には、上下方向に延びる循環水路２５が設けられており、以下、この循環水路２５部分について図１〜図５も参照して説明する。循環水路２５の主体部を構成するカバー部材２６は、合成樹脂により上下方向に長い形状に形成されていて、裏側に突設された複数の係合爪２７を、胴部１１に形成された係合孔に係合させることによって、洗濯槽１０の内側に取り付けられている。このカバー部材２６は、槽底部１２の前記流出口１７と前記バランスリング１３との間にわたる長さを有している。
【００１５】
カバー部材２６の裏側の左右両側部には、それぞれ上下方向に延びるパッキン挿入溝２８（図３〜図５参照）が設けられていて、このパッキン挿入溝２８に圧入状態で挿入されたパッキン２９が、槽底部１２および胴部１１の内面に密着している。これら左右のパッキン２９と、カバー部材２６と、胴部１１および槽底部１２で囲まれた空間を循環水路２５としている。この循環水路２５の下部は流出口１７に連通し、上部はバランスリング１３の下方付近まで延びている。胴部１１において、循環水路２５に臨む部分は、後述する循環水排出孔３０以外は、無孔状としている。
【００１６】
カバー部材２６の下部には、流出口１７を洗濯槽１０の内側から覆う流出口カバー部３１を一体に有している。カバー部材２６の上部には、前面が開口した洗剤投入口３２が形成されているとともに、この洗剤投入口３２を開閉する投入口カバー３３が設けられている。投入口カバー３３は、下部の軸部３３ａを支点に上下方向に回動可能に取り付けられている。投入口カバー３３の上部には、カバー部材２６の係合部２６ａに係脱可能に係合する係合爪３４を後方に向けて突設している。洗剤投入口３２は、循環水路２５に連通している。
【００１７】
カバー部材２６の上下方向の中間部には、背面側（胴部１１側）へ窪む矩形状の凹部３５（図４参照）が形成されていて、この凹部３５の背面（胴部１１側の面）が胴部１１の内面に当接している。凹部３５の底壁部３５ａ（胴部１１に当接する壁）には、矩形状をなす複数個の開口部３６が形成されている。凹部３５の下部には、凹部３５内と循環水路２５と連通する下部開口部３７（図２、図５参照）が形成されている。
【００１８】
凹部３５内には、リントフィルタ部３８が配設されている。このリントフィルタ部３８は、メッシュ状のフィルタ３９をインサート成形した合成樹脂製のフィルタケース４０と、このフィルタケース４０の裏側（凹部３５の底壁部３５ａ側）に組み付けられたメッシュを有する裏カバー４１（図４参照）とにより中空の箱状に構成されている。リントフィルタ部３８の下部には、当該リントフィルタ部３８の内部と外部とを連通させる入水口４２（図２参照）が形成されていて、この入水口４２の内部に逆止弁４３が取り付けられている。フィルタケース４０の上部には、弾性変形可能なフック４４が設けられている。
【００１９】
ここで、リントフィルタ部３８は、下部の入水口４２を前記凹部３５の下部開口部３７に挿入して嵌合させるとともに、上部のフック４４をカバー部材２６に形成された係合部４５に係脱可能に係合させることにより、カバー部材２６に着脱可能に取り付けられている。なお、カバー部材２６の前面には、前記フック４４の上方に位置させて指挿入凹部４６が形成され、フィルタケース４０の上部にも、フック４４の下方に位置させて指挿入凹部４７が形成されている。
【００２０】
カバー部材２６の裏側に形成された前記循環水路２５において、前記凹部３５の左右両側（リントフィルタ部３８の左右両側）は、上下方向に延びる洗剤案内路５０とされている。これら両洗剤案内路５０の上部は、前記洗剤投入口３２に連通している。カバー部材２６の裏側において、前記リントフィルタ部３８の上方となる凹部３５の上方部位には、中央が高く左右両側に向けて下降傾斜する山形状の山形リブ５１が設けられている。この山形リブ５１の胴部１１側の先端部５１ａは、図２に示すように薄く形成されていて、胴部１１の内面に当接している。
【００２１】
前記胴部１１において、前記各洗剤案内路５０に臨む部位には、前記循環水排出孔３０（図４参照）が形成されている。この循環水排出孔３０は、各洗剤案内路５０に対して複数個、この場合４個が上下方向に間隔をおいて配置されている。各循環水排出孔３０は、胴部１１の内外（洗濯槽１０の内外）を連通させるように貫通していて、洗剤案内路５０と洗濯槽１０の外側（洗濯槽１０と水槽５との間）とを連通させている。
【００２２】
上記カバー部材２６の裏側には、洗剤案内路５０において各循環水排出孔３０の直ぐ上方に位置させて、庇状をなす導水リブ５２が設けられている。各導水リブ５２は、外側に向かって下降傾斜している。また、図４に示すように、導水リブ５２の胴部１１側の先端部５２ａと胴部１１の内面との間には、隙間５３が形成されている。循環水排出孔３０は、前記山形リブ５１の下方に対応する部位（左右両側の下部）にも形成されている。
【００２３】
次に上記構成の作用を説明する。
洗濯槽１０内に洗剤を投入する場合には、洗剤投入口３２の投入口カバー３３を開放させ、開放された洗剤投入口３２に洗剤（粉末洗剤）を投入し、投入口カバー３３を閉鎖状態とする。洗剤投入口３２から投入された洗剤は、山形リブ５１によって左右に振り分けられて、左右の洗剤案内路５０を通って落下する（図１の点線矢印Ａ参照）。洗剤案内路５０を通って落下した洗剤は、循環水路２５の入口から、パルセータ１５の近傍である流出口１７付近に落下する。このとき、洗濯槽１０内に洗濯物が収容されていたとしても、洗剤が洗濯物に直接接触することを避けることができる。この場合、洗剤案内路５０には複数の導水リブ５２が存在しているが、各導水リブ５２は外側に向って下降傾斜しているとともに、各導水リブ５２と胴部１１の内面との間には隙間５３が形成されているので、洗剤は洗剤案内路５０を良好に落下する。
【００２４】
そして、洗濯槽１０ひいては水槽５内に給水すると、流出口１７付近に存した洗剤は徐々に水に溶ける。そして、洗濯槽１０内に水を貯留した状態で、洗い行程が開始されてモータ１９によりパルセータ１５が間欠的に正逆回転されることによって、洗濯槽１０内の洗濯物が撹拌されて洗われる。このとき、パルセータ１５の回転に伴い、洗剤も撹拌されて溶解が促進される。また、パルセータ１５の回転に伴い、ポンプ羽根１８のポンプ作用により、洗濯槽１０底部の凹部１６内の水が流出口１７から循環水路２５側に送り出される。これによっても、洗剤の溶解が促進される。
【００２５】
ポンプ羽根１８のポンプ作用により循環水路２５内に送り出された水（洗濯液）の一部は、リントフィルタ部３８の入水口４２から、逆止弁４３を開放させてリントフィルタ部３８内に入り、そこを上昇する。そして、各フィルタ３９を通して洗濯槽１０の内方側へ吐出される。この際に、吐出される水に含まれたリントなどがフィルタ３９にて捕獲される。
【００２６】
また、ポンプ羽根１８のポンプ作用により循環水路２５内に送り出された水（洗濯液）の一部は、リントフィルタ部３８の左右両側の洗剤案内路５０にも流れてここを上昇する。このとき、洗剤案内路５０に臨む胴部１１には複数の循環水排出孔３０が形成されているので、洗剤案内路５０を上昇する水の一部は、その循環水排出孔３０から洗濯槽１０の外部へ排出される。しかもこの場合、洗剤案内路５０には、各循環水排出孔３０の直ぐ上方に位置させて導水リブ５２および山形リブ５１が配置されているので、洗剤案内路５０を上昇する水の一部は、各導水リブ５２および山形リブ５１にて上昇が抑えられて方向を変えるようになり、循環水排水孔３０から洗濯槽１０の外部へ一層排出され易くなる。このように洗剤案内路５０を上昇する水の一部が循環水排水孔３０から洗濯槽１０の外部へ排出されることに伴い、洗剤案内路５０内を通る水の量が減るとともに勢いが弱められる。このため、洗剤案内路５０に送り出された水が、上方の洗剤投入口３２まで達することを防止できるようになる。これにより、洗剤案内路５０に送り出された水が洗剤投入口３２から溢れ出すことを防止できる。
【００２７】
パルセータ１５の回転が停止すると、ポンプ羽根１８によるポンプ作用が停止し、リントフィルタ部３８の下部の逆止弁４３が入水口４２を閉鎖する状態となる。この状態になると、リントフィルタ部３８内に入り込んだ水は、徐々にフィルタ３９を通して徐々に洗濯槽１０側に戻される。このときにも、リントがフィルタ３９にて捕獲される。また、洗剤案内路５０内に入り込んだ水は、洗剤案内路５０を下降して流出口１７から洗濯槽１０側に戻される。
【００２８】
上記した実施形態によれば次のような効果を得ることができる。
まず、洗濯槽１０の内側に上下方向に延びるように設けられた循環水路２５の上部に洗剤投入口３２を設け、その洗剤投入口３２の下方にリントフィルタ部３８を設けた構成のものにおいて、循環水路２５におけるリントフィルタ部３８の左右両側に形成した洗剤案内路５０に臨む胴部１１に循環水排出孔３０を設けた。これにより、ポンプ羽根１８のポンプ作用により洗剤案内路５０に送り出された水の一部は、前記循環水排出孔３０から洗濯槽１０の外部に排出されるようになるため、洗剤案内路５０を通る水の量が減るとともに勢いが弱められる。このため、洗剤案内路５０に送り出された水が、上方の洗剤投入口３２まで達することを防止できるようになる。これにより、洗剤案内路５０に送り出された水が洗剤投入口３２から溢れ出すことを防止でき、商品性の向上を図ることができる。
【００２９】
洗剤案内路５０において前記循環水排出孔３０の直ぐ上方に位置させて導水リブ５２および山形リブ５１を設けたことにより、洗剤案内路５０に入ってここを上昇する水の流れ方向を容易に変えることができて、その水を循環水排出孔３０から洗濯槽１０の外部へ一層排出し易くできる。特に洗濯槽１０内の水位が高い場合には、洗剤案内路５０内の水が洗剤投入口３２から溢れ出す可能性が高くなるが、導水リブ５２および山形リブ５１を設けることにより、水の上昇を効果的に抑えることが可能になる。この場合、循環水排出孔３０は、上下方向に複数個設けているので、排出効率も良い。
【００３０】
循環水路２５においてリントフィルタ部３８の上方に位置させて、山形状をなす山形リブ５１を設けたことにより、洗剤投入口３２から投入された洗剤を左右の洗剤案内路５０に良好に案内することができ、洗剤がリントフィルタ部３８の上部に残ってしまうようなことを防止できる。
【００３１】
前記導水リブ５２は外側に向って下降傾斜する構成としたので、洗剤案内路５０を落下する洗剤を落下し易くでき、しかも洗剤案内路５０を上昇する水の勢いを良好に抑えることができる。
【００３２】
山形リブ５１の胴部１１側の先端部５１ａを胴部１１の内面に当接させる構成としているので、洗剤投入口３２から投入された洗剤が、リントフィルタ部３８の裏側（凹部３５の底壁部３５ａと胴部１１の内面との間）に入り込むことを極力防止することができる。この場合、先端部５１ａを薄くしているので、胴部１１の内面に当て易い。
【図面の簡単な説明】
【００３３】
【図１】本発明の一実施形態を示す要部の縦断正面図
【図２】要部の縦断側面図
【図３】図１のＸ１−Ｘ１線に沿う横断平面図
【図４】図１のＸ２−Ｘ２線に沿う横断平面図
【図５】カバー部材の背面図
【図６】洗濯機全体の縦断側面図
【符号の説明】
【００３４】
図面中、５は水槽、１０は洗濯槽、１１は胴部、１２は槽底部、１５はパルセータ、１８はポンプ羽根、１９はモータ、２５は循環水路、２６はカバー部材、３０は循環水排出孔、３２は洗剤投入口、３８はリントフィルタ部、５０は洗剤案内路、５１は山形リブ、５１ａは先端部、５２は導水リブを示す。
【図１】
2009136430.tif 000003
【図２】
2009136430.tif 000004
【図３】
2009136430.tif 000005
【図４】
2009136430.tif 000006
【図５】
2009136430.tif 000007
【図６】
2009136430.tif 000008